(57)【要約】      （修正有）【課題】風向変更板等の構成要素を着脱する際に開閉される開閉カバーの開閉状態を検出する検出手段の誤検出を防止することにより，送風装置の円滑な運転制御を実現すること。【解決手段】開閉カバー３０の開或いは閉状態を検出するマイクロスイッチ６０に設けられ，上記開閉カバー３０の開或いは閉時に該開閉カバー３０の一部と当接する接点レバー６１と，送風装置本体或いは上記開閉カバー３０に設けられ，上記開閉カバー３０の開或いは閉時に上記接点レバー６１と当接して上記接点レバー６１を押圧付勢する方向に伸縮するレバー部材５１と，を具備する。【選択図】図４
2006125732.tif 000002
【特許請求の範囲】
【請求項１】
送風装置本体に着脱可能な送風装置の構成要素を上記送風装置本体に着脱する際に開閉される開閉カバーを備え，上記送風装置本体の空気吹出口から気体を送風する送風装置であって，
上記送風装置本体或いは上記開閉カバーに設けられ，上記開閉カバーの開或いは閉状態を検出するカバー開閉検出手段と，
上記カバー開閉検出手段に設けられ，上記開閉カバーの開或いは閉時に該開閉カバーの一部と当接する第１の弾性部材と，
上記送風装置本体或いは上記開閉カバーに設けられ，上記開閉カバーの開或いは閉時に上記第１の弾性部材と当接して上記第１の弾性部材を押圧付勢する方向に伸縮する第２の弾性部材と，
を備えてなることを特徴とする送風装置。
【請求項２】
上記第２の弾性部材の弾性係数が上記第１の弾性部材の弾性係数以上である請求項１に記載の送風装置。
【請求項３】
上記第１の弾性部材が，上記カバー開閉検出手段の本体に対して所定の角度に傾倒された状態で弾性支持されたレバー状部材からなるものである請求項１又は２のいずれかに記載の送風装置。
【請求項４】
上記開閉カバーが，上記送風装置本体の幅方向にスライド移動自在に支持されてなる請求項１〜３のいずれかに記載の送風装置。
【請求項５】
上記開閉カバーが，上記送風装置本体に軸支されたヒンジ部を含んでなり，該ヒンジ部を中心にして上記送風装置本体の奥行き方向に回動可能に支持されてなる請求項１〜３のいずれかに記載の送風装置。
【請求項６】
上記開閉カバーが，上記送風装置本体の幅方向にスライド移動自在に支持されてなり，該開閉カバーの閉状態から該開閉カバーの開方向へ該開閉カバーを所定幅スライド移動させた後に，上記送風装置本体に軸支された上記ヒンジ部を中心にして上記送風装置本体の奥行き方向に回動可能に支持されてなる請求項１〜３のいずれかに記載の送風装置。
【請求項７】
上記第２の弾性部材が，上記ヒンジ部に設けられてなる請求項５又は６のいずれかに記載の送風装置。
【発明の詳細な説明】
【技術分野】
【０００１】
本発明は，送風装置本体に着脱可能な送風装置の構成要素を上記送風装置本体に着脱する際に開閉される開閉カバーを備えた送風装置に関し，特に，上記開閉カバーの開或いは閉状態を的確に検出し得る送風装置に関するものである。
【背景技術】
【０００２】
従来，エアーコンディショナー等の送風装置には，内部の清掃，メンテナンスを容易に行え得るようにするため，上記送風装置を構成する風向変更装置，換気ファン或いはフィルタ装置等の構成要素が上記送風装置の本体に着脱可能に構成されたものが公知である。
この種の送風装置において，清掃等を行う際に上記構成要素が取り外された状態で，上記送風装置が運転可能に維持されると，例えば，誤って運転指示が入力されることにより該送風装置の各構成要素が駆動されるため，清掃作業者を傷つける事故或いは上記構成要素の損傷事故に発展しかねない。そのため，近年では，特許文献１〜３に記載されるように，上記構成要素が取り外された場合は，それを検出して，上記送風装置自体の運転或いは所定の構成要素の駆動を強制的に停止するように制御された送風装置が提案されている。
【０００３】
上記特許文献２及び３に記載の送風装置はいずれも，センサやスイッチ等の検出手段を用いて，風向変更装置（上記特許文献では「吹出口部材」或いは「吹出しユニット」と称されている）の着脱状態を直接的に検出し，脱状態と検出された場合に送風装置の運転或いは構成要素の駆動を停止制御するものである。しかしながら，上記特許文献２及び３に記載の送風装置は，空気吹出口に風向変更装置を嵌め込むタイプのものであるため，その着脱作業は容易ではない。
これに対し，図９に示すように，上記特許文献１に記載の空気調和機（送風装置）Ａは，風向変更板１２５を着脱する際に開閉される開閉カバー１３０の開又は閉状態を上記検出手段の出力信号により検出し，上記開閉カバー１３０の開状態が検出された場合に上記空気調和機Ａの運転を停止制御するものである。この空気調和機Ａでは，風向変更装板１２５の両端を空気吹出口１２６近傍のドレンパン１０７に形成された溝部１０７ａに掛止させた後に上記開閉カバー１３０が閉じられ，該開閉カバー１３０の係止リブ１３０ａと上記溝部１０７ａとにより形成された軸受により上記風向変更板１２５が軸支されるため，その取り付け作業は極めて容易であり，熟練者でない一般ユーザであっても比較的容易に着脱作業を行うことができる。
【特許文献１】特開２００４−１９８０４６号公報
【特許文献２】特開２００３−２４０２５９号公報
【特許文献３】特開２００３−９７８１９号公報
【発明の開示】
【発明が解決しようとする課題】
【０００４】
ところで，上記特許文献１に記載の送風装置の開閉カバーは，送風装置本体に軸支されたヒンジ部を中心にして回動するように構成されているのが一般的である。従って，上記ヒンジ部には，ある程度のガタ（余裕）が設定されている。そのため，このガタが要因となって，カバー閉状態における上記開閉カバーの取り付け位置にズレが生じ得る場合がある。かかるズレは，上記ヒンジ部から離れるに従って大きくなり，例えば，上記開閉カバーの先端部においては顕著に現れる。一方，上記検出手段は送風装置のドレンパンにネジ止めされているため，その取り付け位置にも多少のズレが見込まれる。
しかしながら，上述したような開閉カバーと検出手段とのズレは，上記検出手段による上記開閉カバーの開或いは閉状態の誤検出，即ち，上記開閉カバーが閉状態であっても開状態であると誤って検出するという誤検出を招き，上記送風装置の正常な運転を妨げるというおそれがあり，問題である。
また，上記開閉カバーは上下方向に開閉する構造のため，その閉操作は，上記開閉カバーを下方から上方へ回動させることにより行われるが，家庭用の送風装置等のように天井付近の高い位置に設置されている場合は，下方から上方へ持ち上げる閉操作が不充分となりやすく，そのため，上記開閉カバーの係合不良が生じるおそれがある。また，経時的な原因により開閉カバーの係合部が磨耗した場合は，正常に閉動作を行ったとしても十分に係合されず，上記開閉カバーの自重により該開閉カバーが開の方向へずれ易くなり，開閉カバーが閉じられているにもかかわらず開状態を誤って検出するおそれもある。
また，昨今では，送風装置のコンパクト化を図るため，上記検出手段として，マイクロスイッチが多用されるようになって来たが，該マイクロスイッチは，その接点間隔が微小であり，更に小型であるが故に，上記ズレによる誤検出が発生しやすいという問題がある。
従って，本発明は上記事情に鑑みてなされたものであり，その目的とするところは，開閉カバーの開閉状態を検出する検出手段の誤検出を防止することにより，送風装置の円滑な運転制御を実現することにある。
【課題を解決するための手段】
【０００５】
上記目的を達成するために本発明は，送風装置本体に着脱可能な送風装置の構成要素を上記送風装置本体に着脱する際に開閉される開閉カバーを備え，上記送風装置本体の空気吹出口から気体を送風する送風装置に適用されるものであって，上記開閉カバーの開或いは閉状態を検出するカバー開閉検出手段に設けられ，上記開閉カバーの開或いは閉時に該開閉カバーの一部と当接する第１の弾性部材と，上記送風装置本体或いは上記開閉カバーに設けられ，上記開閉カバーの開或いは閉時に上記第１の弾性部材と当接して上記第１の弾性部材を押圧付勢する方向に伸縮する第２の弾性部材と，を備えてなることを特徴とする送風装置として構成されている。
これにより，上記開閉カバーと上記カバー開閉検出手段との間に多少の位置ズレが生じたとしても，上記第１の弾性部材と上記第２の弾性部材とが相互に押圧付勢されるため，上記開閉カバーの開或いは閉状態を確実に検出すること可能となる。その結果，上記送風装置の円滑な運転を実現することができる。
なお，上記開閉カバーの開或いは閉時に，上記第１の弾性部材と上記第２の弾性部材とが押圧付勢して上記開閉カバーの開或いは閉状態を検出することができれば，上記開閉カバー，カバー開閉検出手段，上記第１の弾性部材及び上記第２の弾性部材の位置は特に限定されない。
【０００６】
ここで，上記第２の弾性部材の弾性係数が上記第１の弾性部材の弾性係数と同じかそれ以上であることが望ましい。これにより，上記第２の弾性部材が上記第１の弾性部材の弾性力に抗して該第１の弾性部材を容易に弾性付勢することが可能となる。
また，上記第１の弾性部材としては，上記カバー開閉検出手段の本体に対して所定の角度に傾倒された状態で弾性支持されたレバー状部材からなるものが考えられる。
【０００７】
また，上記開閉カバーとしては，例えば，上記送風装置本体の幅方向にスライド移動自在に支持されてなるものが考えられる。更にまた，上記開閉カバーは，上記送風装置本体に軸支されたヒンジ部を含んでなり，該ヒンジ部を中心にして上記送風装置本体の奥行き方向に回動可能に支持されてなるものであってもよい。このような開閉カバーを備えた送風装置に対して，本発明は好適に用いられる。もちろん，上記開閉カバーが，上記送風装置本体の幅方向にスライド移動自在に支持されてなり，該開閉カバーの閉状態から該開閉カバーの開方向へ該開閉カバーを所定幅スライド移動させた後に，上記送風装置本体に軸支された上記ヒンジ部を中心にして上記送風装置本体の奥行き方向に回動可能に支持されてなるものであってもかまわない。
ここで，上記第２の弾性部材が上記ヒンジ部に設けられておれば，該ヒンジ部のガタによる上記開閉カバーの位置ズレへの影響を最小限に抑えることが可能となる。
【発明の効果】
【０００８】
本発明によれば，上記開閉カバーと上記カバー開閉検出手段との間に多少の位置ズレが生じたとしても，上記第１の弾性部材と上記第２の弾性部材とが相互に押圧付勢されるため，上記開閉カバーの開或いは閉状態を確実に検出すること可能となる。その結果，上記送風装置の円滑な運転を実現することができる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の一実施形態に係る送風装置Ｘの外観を表す斜視図，図２は上記送風装置Ｘの側断面図，図３は開閉カバー３０の取り付け部４０の形状を説明する図，図４は開閉カバー３０が閉じられた状態における図３のＡ−Ａ断面図，図５は開閉カバー３０が前後方向に開けられた状態における図３のＡ−Ａ断面，図６はヒンジ５０の構成を表す部品図，図７は開閉カバー３０の構成を表す部品図，図８は開閉カバー３０が閉じられた状態及び開けられた状態における図３のＢ−Ｂ断面図，図９は従来の空気調和機Ａの外観を表す斜視図である。
まず，図１及び図２を用いて，本発明の実施の形態に係る送風装置Ｘの外観構成及び内部構成の概要について説明する。
本送風装置Ｘは，図１に示すように，キャビネット６，ドレンパン７及びオープンパネル９等により構成される横長の送風装置本体１と，該送風装置本体１の下部左端部のカバー取付部４０に設けられた開閉カバー３０と，室内の空気を内部に取り入れるための空気吸込口３と，送風装置Ｘの下部に配置され，熱変換された空気を室内に送り出すための空気吹出口２６と，該空気吹出口２６近傍のドレンパン７に着脱可能な分離型上下ルーバ２ａ（以下「分離ルーバ」と略す）及び一体型の（分離型でない）上下ルーバ２ｂと，を具備してその外観が構成されている。以下，上記分離ルーバ２ａ及び上記と上下ルーバ２ｂを総称してルーバ装置２と称す。ここに，図１の（ａ）は開閉カバー３０が閉じられた状態，（ｂ）は開閉カバー３０が左方向へ所定幅スライド移動された状態，（ｃ）は開閉カバー３０が手前方向に回動されて開けられた状態をそれぞれ表す。
【００１０】
上記開閉カバー３０は，送風装置Ｘの構成要素である上記ルーバ装置２を上記送風装置本体１に着脱する際に開閉されるものであり，上記ルーバ装置２の取付保持機構の一部を構成するものである。この場合，上記開閉カバー３０が開けられると，上記ルーバ装置２が脱落するおそれがあるため，本送風装置Ｘには，上記開閉カバー３０が開けられたことを検出した場合に送風装置Ｘの運転を停止する機能が備えられている。なお，上記開閉カバー３０が開けられたかどうかは，従来周知のマイクロスイッチ６０（ドア開閉検出手段の一例，図４，５参照）により検出される。
上記ルーバ装置２の両端には，該ルーバ装置２を揺動させる揺動軸２１（図４，図５参照）が形成されており，この揺動軸２１は，上記空気吹出口２６の左右両端部に形成された軸受で軸支される。なお，上記空気吹出口２６の左右両端部の軸受は，前記した特許文献１の空気調和機Ａ（図９）に採用された風向変更装置の取付保持機構と同じように構成されており，即ち，右端部の軸受は，上記ルーバ装置２を揺動駆動させるステッピングモータ等（駆動手段）の出力軸との軸継手（カップリング）であり，右端部の軸受は，上記開閉カバー３０が完全に閉じられたときに，上記ドレンパン７等に形成された溝部７ａ（図４，図５参照）に上記開閉カバー３０に形成された後述の係止リブ３５が重合することにより構成される。なお，このような上記ルーバ装置２の取付保持機構は前記特許文献１の空気調和機Ａ（図９）に採用された取付保持機構と略同様であり，特に変わりはないため，ここでの詳細な説明は省略する。
【００１１】
続いて，図２の側断面図を用いて，上記送風装置Ｘの内部構成について簡単に説明する。図２に示すように，上記送風装置Ｘは，上記空気吸込口３の近傍に備えられた図示しない塵埃フィルタと，上記空気吸込口３から室内空気を吸い込むと共に熱交換された空気を上記空気吹出口２６から室内に送り出す送風機５と，上記送風機５により吸い込まれた室内空気と冷媒との間で熱交換を行う熱交換器４と，が適宜配設されて構成されている。
このように構成された上記送風装置Ｘでは，上記送風機５の回転によって空気吸込口３から吸い込まれた室内空気が，熱交換器４を通ることで熱交換器４内を流れる冷媒との間で熱交換され，その後，上記ルーバ装置２の周囲を通って空気吹出口２６から室内に送り出される。このとき，上記ルーバ装置２は，これらの各ルーバに連結された図示しないステッピングモータ等によって上下方向に揺動されるよう制御され，これにより，送風装置Ｘの空気吹出口２６から送り出される空気流の方向が上下に変更される。
【００１２】
ここで，上記開閉カバー３０の開閉動作について図１を用いて簡単に説明する。本送風装置Ｘにおいては，上記開閉カバー３０の開閉は，従来とは異なり，以下の手順により行われる。
まず，図１（ａ）に示される閉状態の上記開閉カバー３０に対し左方向へ力を加えると，上記開閉カバー３０とカバー取付部４０との横方向（送風装置本体１の幅方向）の係合が解除され，上記開閉カバー３０がスライド移動可能な状態になる。このとき，上記開閉カバー３０とカバー取付部４０との前後方向（送風装置本体１の奥行き方向）の係合は解除されていない。この状態で，上記開閉カバー３０を図１（ｂ）に示す位置に来るまでスライド移動させる。
上記開閉カバー３０を図１（ｂ）に示す位置までスライド移動させると，上記開閉カバー３０とカバー取付部４０との前後方向の係合が解除される。このとき，上記開閉カバー３０を手前に引き寄せることにより，図１（ｃ）に示すように，該開閉カバー３０を前後方向に回動させて，開状態とすることができる。なお，上記開閉カバー３０の開状態から閉状態への開閉動作は，上述とは逆の手順により行われる。
【００１３】
このような上記開閉カバー３０の開閉動作は，上記開閉カバー３０，該開閉カバー３０のカバー取付部４０及び該開閉カバー３０の内部支持構造が以下に説明するよう構成されることにより具現化される。
まず，図３を用いて，上記開閉カバー３０が取り付けられるカバー取付部４０の形状について説明する。ここに，図３（ｂ）はオープンパネル９，ルーバ装置２及び開閉カバー３０が取り外された状態の送風装置Ｘにおけるカバー取付部４０近傍の正面図，（ａ）は（ｂ）の左側断面図である。
図３に示すように，上記カバー取付部４０は，送風装置本体１の下部左端部に設けられている。このカバー取付部４０には，上記開閉カバー３０に設けられた３つの係合片３１〜３３（図８参照，詳しくは後述する）と係合する係合開口部４１〜４３が形成されている。
上記係合開口部４１，４２は，上記係合片３１，３２がスライド可能に挿嵌され，その後，上記開閉カバー３０が右方向（送風装置本体１の幅方向）へスライドされることにより上記係合片３１，３２と係合するものであり，上記係合開口部４３は上記開閉カバー３０が右方向へスライドされ，該開閉カバー３０が完全に閉じられる際に上記係合片３３と係合するものである。
上記係合開口部４１，４２それぞれは，上記送風装置本体１の内部と外部とを連通する横方向（送風装置本体１の幅方向）に長い形状に開口されており，上記開閉カバー３０の係合片３１，３２が上記各係合開口部４１，４２に挿入されるように位置対応して形成されている。
なお，上述の如く上記各係合開口部４１，４２が横方向に長い形状に開口されているため，後述するように，上記開閉カバー３０の横方向へのスライド移動が可能となる。
【００１４】
上記カバー取付部４０には，図７に示される形状をした開閉カバー３０が取り付けられる。ここに，図７の（ａ）及び（ｂ）は開閉カバー３０の表面及び裏面を示し，（ｃ）は（ａ）のＣ−Ｃ断面図，（ｄ）は（ａ）の右断面図である。
図７に示すように，上記開閉カバー３０の裏面には，上記係合開口部４１〜４３それぞれに対応する位置に，該係合開口部４１，４２へ挿嵌し得る略Ｌ字突起状の係合片３１，３２が設けられ，該係合開口部４３と係合する略Ｌ字突起状の係合片３３が設けられている。このように上記開閉カバー３０が構成されているため，上記係合片３１，３２が横長に開口された上記係合開口部４１，４２に挿嵌されて，上記開閉カバー３０が上記カバー取付部４０に掛止（支持）される。
また，上記係合開口部４１，４２それぞれの横方向の右端部の送風装置本体１の内部側には，図８に示すように，微小突起４４が設けられている。また，上記係合開口部４３の内面にも同じように上記微小突起４４が設けられている。更に，上記係合片３１〜３３それぞれには，上記微小突起４４と係合して上記開閉カバー３０が閉じられた際にその閉状態を保持して容易に開かないようにするための係合爪３４が設けられている。なお，図８（ａ）及び（ｂ）は，開閉カバー３０が閉じられた状態及び開けられた状態における図３のＢ−Ｂ断面図を示す。
このような係合爪３４及び微小突起４４が形成されているため，上記係合片３１，３２が上記係合開口部４１，４２に挿嵌された後に上記開閉カバー３０が横方向（図３（ｂ）の右方向）へスライド移動されることにより，上記係合爪３４が上記微小突起４４に当接し，更にスライド移動されることにより，上記係合爪３４が上記微小突起４４を乗り越えて該微小突起４４と係合し，最終的に上記開閉カバー３０が閉状態を維持した状態で上記カバー取付部４０に固定される。
【００１５】
なお，図７中の符号３５は，上記開閉カバー３０が閉じられた際に上記ルーバ装置２（図１参照）の回動軸（不図示）を軸支する軸受の一部を構成する係止リブ３５であって，従来の空気調和機Ａの係止リブ１３０ａ（図９参照）に相当する。上記係止リブ３５の符号３５ａで示す部分は前記分割ルーバ２ａを係止するリブであり，符号３５ｂで示す部分は前記上下ルーバ２ｂを係止するリブである。
また，図７中の符号３６は，送風装置本体１の内部で支持されたヒンジ５０（ヒンジ部に相当）と係合するヒンジ係合部材３６である。これらの部材については後述する。
【００１６】
次に，図４及び図５を用いて，上記開閉カバー３０の内部支持構造について説明する。ここに，図４（ａ）は開閉カバー３０が閉じられた状態における図３のＡ−Ａ断面図，図５（ａ）は開閉カバー３０が前後方向に開けられた状態における図３のＡ−Ａ断面図であり，図４（ｂ），図５（ｂ）はそれぞれ図４（ａ），図５（ａ）を下方から見た内部透視図である。
図示されるように，上記開閉カバー３０の内部支持構造は，送風装置本体１に設けられたヒンジ回動軸１ａで軸支されたヒンジ５０と上記ヒンジ係合部材３６とが相互に係合することにより実現される。なお，上記ヒンジ回動軸１ａは，上記ヒンジ５０と係合された状態で，該ヒンジ５０が横方向へ移動し得るよう上記ヒンジ５０の幅長さより長く形成されている。
このヒンジ５０は，上記送風装置本体１に上記開閉カバー３０を回動可能に取り付けるものであって，図６の五面図（（ａ）：正面図，（ｂ）：左側面図，（ｃ）：右側面図，（ｄ）：平面図，（ｅ）：底面図）に示すように，２つの回転軸受５０ａ，５０ｂを具備する。この２つの回転軸受５０ａ，５０ｂのうち，その一方の回転軸受５０ａは，上記ヒンジ係合部材３６と係合し，他方の回転軸受５０ｂは，送風装置本体１の上記ヒンジ回動軸１ａと係合する。このように上記各部が夫々結合されることにより，上記開閉カバー３０が上記ヒンジ５０によって送風装置本体１に回動自在に取り付けられる。
このように，上記開閉カバー３０，該開閉カバー３０のカバー取付部４０及び該開閉カバー３０の内部支持構造が上述の如く構成されることにより，上記開閉カバー３０をその閉状態から左方向（開方向）へ所定幅スライド移動させ，その後，上記ヒンジ５０を中心にして前後方向へ回動させることが可能となる。
【００１７】
上述のように開閉動作する開閉カバー３０を有する本送風装置Ｘにおいては，上記開閉カバー３０が閉状態に固定されると，その閉状態は，上記溝７ａ近傍の上記送風装置本体１に設けられたマイクロスイッチ６０（カバー開閉検出手段の一例）によって検出される。本実施の形態では，上記マイクロスイッチ６０として，そのアクチュエータ形状がヒンジレバータイプのものを採用する。即ち，該マイクロスイッチ本体に対して所定の角度に傾倒された状態で弾性支持された接点レバー６１（第１の弾性部材に相当）を有する周知のマイクロスイッチを使用する。この接点レバー６１に上記開閉カバー３０の一部（具体的には後述のレバー部材５１）が当接し，該接点レバー６１が倒されることにより，上記マイクロスイッチ６０が作動し，上記開閉カバー３０の開又は閉状態が検出される。
また，上記ヒンジ５０には，図６（特に（ｆ）参照）に示すように，上記ヒンジ部５０の右側部にレバー状に形成された弾性を有するレバー部材５１（第２の弾性部材に相当）が設けられている。ここに，図６（ｆ）は図６（ｃ）のＤ−Ｄ断面図である。このレバー部材５１は，上記開閉カバー３０がスライド移動されることにより，上記マイクロスイッチ６０の接点レバー６１と当接して，該接点レバー６１を押圧付勢する方向に伸縮する。なお，上記レバー部材５１は，上記接点レバー６１を十分に押圧付勢し得るように，その弾性係数は上記接点レバー６１の弾性係数と同等或いはそれ以上に設定されている。
そのため，上記マイクロスイッチ６０及び上記ヒンジ５０は，上記開閉カバー３０が閉じられることにより，上記接点レバー６１と上記レバー部材５１とが当接して，上記接点レバー６１が上記レバー部材５１で押し付けられて作動するような位置関係となるように取り付けられている。本実施の形態では，上記開閉カバー３０がスライド移動することにより閉状態となるため，上記送風装置本体１の幅方向に上記接点レバー６１及び上記レバー部材５１が収縮するように取り付けられる。
このように，上記接点レバー６１に当接する上記ヒンジ５０の一部に弾性を有する上記レバー部材５１を採用することにより，接点間隔の短いマイクロスイッチ６０を用いた場合でも，上記開閉カバー３０の開閉状態を確実に検出することが可能となり，上記開閉カバー３０の取り付けガタによる誤検出が防止される。その結果，上記送風装置Ｘの円滑な運転を実現することができる。また，開閉カバー３０が左右方向に所定幅スライド移動する構造となっているため，従来のような上下方向に開閉する構造（図９参照）と比べて，係合部の磨耗によって開閉カバー３０がその自重により開の方向へずれるようなことがなくなり，その結果，カバーの開閉状態の誤検出が防止され得る。
なお，上述の実施の形態では，上記ヒンジ５０に上記レバー部材５１が設けられた例について説明したが，上記レバー部材５１は上記ヒンジ５０に限られず，少なくとも上記マイクロスイッチ６０の接点レバー６１と当接して押圧弾性収縮する位置に設けられていればよい。
また，上記開閉カバー３０がその閉状態から左方向（開方向）へ所定幅スライド移動され，その後，上記ヒンジ５０を中心にして前後方向へ回動される構成について説明したが，もちろん，上記開閉カバー３０が回動せず，横方向（送風装置本体１の幅方向）にのみスライド移動自在に支持されたものであってもよい。また，上記開閉カバー３０がスライド移動することなく，上記開閉カバー３０が，上記ヒンジ３０を中心にして前後方向（上記送風装置本体１の奥行き方向）にのみ回動可能に支持された構造を有する送風装置にも本発明は好適に適用され得る。
【図面の簡単な説明】
【００１８】
【図１】本発明の一実施形態に係る送風装置Ｘの外観を表す斜視図。
【図２】上記送風装置Ｘの側断面図。
【図３】開閉カバー３０の取り付け部４０の形状を説明する図。
【図４】開閉カバー３０が閉じられた状態における図３のＡ−Ａ断面図。
【図５】開閉カバー３０が前後方向に開けられた状態における図３のＡ−Ａ断面。
【図６】ヒンジ５０の構成を表す部品図。
【図７】開閉カバー３０の構成を表す部品図。
【図８】開閉カバー３０が閉じられた状態及び開けられた状態における図３のＢ−Ｂ断面図。
【図９】従来の空気調和機Ａの外観を表す斜視図。
【符号の説明】
【００１９】
１…送風装置本体
２…ルーバ装置
２ａ…分離ルーバ
２ｂ…上下ルーバ
３…空気吸込口
４…熱交換器
５…送風機
６…キャビネット
７…ドレンパン
９…オープンパネル
２１…揺動軸
３０…開閉カバー
４０…カバー取付部
５０…ヒンジ（ヒンジ部に相当）
５１…レバー部材（第２の弾性部材の一例）
６０…マイクロスイッチ（カバー開閉検出手段の一例）
６１…接点レバー（第１の弾性部材の一例）
【図１】
2006125732.tif 000003
【図２】
2006125732.tif 000004
【図３】
2006125732.tif 000005
【図４】
2006125732.tif 000006
【図５】
2006125732.tif 000007
【図６】
2006125732.tif 000008
【図７】
2006125732.tif 000009
【図８】
2006125732.tif 000010
【図９】
2006125732.tif 000011